(57)【特許請求の範囲】
【請求項１】
鍵盤の全鍵もしくは指定鍵のどちらを音高調整するかを選択すると共にその音高調整の量を設定可能な状態にする選択手段と、
操作子の操作に応じて前記音高調整量を可変設定する設定手段と、
鍵盤の各鍵毎に設けられる複数の発光手段と、
前記選択手段が全鍵を選択した場合には所定鍵に設けられる複数の発光手段を、指定鍵を選択した場合にはその指定鍵に設けられる複数の発光手段を、それぞれ表示ドットとして前記設定手段により設定された音高調整量に応じて点灯制御して当該音高調整量をレベル表示する表示手段と
を具備することを特徴とする電子楽器。
【請求項２】
鍵盤の各鍵毎に複数の発光手段を設け、発音すべき音高とその発音タイミングとを含む曲データの再生に同期して押鍵すべき鍵の発光手段を点灯して演奏案内する機能を備えた電子楽器において、
鍵盤の全鍵もしくは指定鍵のどちらを音高調整するかを選択すると共にその音高調整の量を設定可能な状態にする選択手段と、
操作子の操作に応じて前記音高調整量を可変設定する設定手段と、
前記鍵盤の各鍵毎に設けられる複数の発光手段を共用する手段であって、前記選択手段が全鍵を選択した場合には所定鍵に設けられる複数の発光手段を、指定鍵を選択した場合にはその指定鍵に設けられる複数の発光手段を、それぞれ表示ドットとして前記設定手段により設定された音高調整量に応じて点灯制御して当該音高調整量をレベル表示する表示手段と
を具備することを特徴とする電子楽器。
【請求項３】
鍵盤の各鍵毎に発光手段を設け、発音すべき音高とその発音タイミングとを含む曲データの再生に同期して押鍵すべき鍵の発光手段を点灯して演奏案内する機能を備えた電子楽器において、
操作子の操作に応じて前記鍵盤の音高調整を可能な状態にすると共にその音高調整の量を可変設定する設定手段と、
前記鍵盤の各鍵にそれぞれ設けられる発光手段を表示ドットと見做し、前記設定手段により設定された音高調整量に応じてこれら表示ドットを点灯制御して当該音高調整量をレベル表示する表示手段と
を具備することを特徴とする電子楽器。
【発明の詳細な説明】
【０００１】
【発明の属する技術分野】
本発明は、トランスポーズやチューニングの調整量を感覚的に把握できるようにした電子楽器に関する。
【０００２】
【従来の技術】
周知のように、近年の電子楽器では、押鍵操作に応じて発音する音高を、指定した調に移調するトランスポーズ機能や、発音指定された音高の周波数を微調整するチューニング機能を備えていることが知られている。
【０００３】
【発明が解決しようとする課題】
ところで、このようなトランスポーズ機能やチューニング機能を備える従来の電子楽器では、パネルディスプレイに表示される数値でトランスポーズ（又はチューニング）された音高調整量を確認したり、あるいはトランスポーズ（又はチューニング）する前の音高と、した後の音高とを実際に聴き比べてその調整具合を確認する場合が多い。
しかしながら、パネルディスプレイに表示される数値で音高調整量を確認する態様では、楽器操作に不慣れなビギナーではその数値がどの程度の音高変化をもたらすのか感覚的に判り難いという問題がある。
また、トランスポーズ（又はチューニング）する前後の音高を実際に聴き比べてその調整具合を確認する態様であると、感覚的に把握し得る反面、音感が未熟だと何度も聴き比べを繰り返して確認する等、設定操作に手間がかかるという問題もある。
【０００４】
そこで本発明は、このような事情に鑑みてなされたもので、音高調整量を感覚的に把握でき、しかも簡単に設定することができる電子楽器を提供することを目的としている。
【０００５】
【課題を解決するための手段】
上記目的を達成するため、請求項１に記載の発明では、鍵盤の全鍵もしくは指定鍵のどちらを音高調整するかを選択すると共にその音高調整の量を設定可能な状態にする選択手段と、操作子の操作に応じて前記音高調整量を可変設定する設定手段と、鍵盤の各鍵毎に設けられる複数の発光手段と、前記選択手段が全鍵を選択した場合には所定鍵に設けられる複数の発光手段を、指定鍵を選択した場合にはその指定鍵に設けられる複数の発光手段を、それぞれ表示ドットとして前記設定手段により設定された音高調整量に応じて点灯制御して当該音高調整量をレベル表示する表示手段とを具備することを特徴とする。
【０００６】
請求項２に記載の発明では、鍵盤の各鍵毎に複数の発光手段を設け、発音すべき音高とその発音タイミングとを含む曲データの再生に同期して押鍵すべき鍵の発光手段を点灯して演奏案内する機能を備えた電子楽器において、鍵盤の全鍵もしくは指定鍵のどちらを音高調整するかを選択すると共にその音高調整の量を設定可能な状態にする選択手段と、操作子の操作に応じて前記音高調整量を可変設定する設定手段と、前記鍵盤の各鍵毎に設けられる複数の発光手段を共用する手段であって、前記選択手段が全鍵を選択した場合には所定鍵に設けられる複数の発光手段を、指定鍵を選択した場合にはその指定鍵に設けられる複数の発光手段を、それぞれ表示ドットとして前記設定手段により設定された音高調整量に応じて点灯制御して当該音高調整量をレベル表示する表示手段とを具備することを特徴とする。
【０００７】
請求項３に記載の発明では、鍵盤の各鍵毎に発光手段を設け、発音すべき音高とその発音タイミングとを含む曲データの再生に同期して押鍵すべき鍵の発光手段を点灯して演奏案内する機能を備えた電子楽器において、操作子の操作に応じて前記鍵盤の音高調整を可能な状態にすると共にその音高調整の量を可変設定する設定手段と、前記鍵盤の各鍵にそれぞれ設けられる発光手段を表示ドットと見做し、前記設定手段により設定された音高調整量に応じてこれら表示ドットを点灯制御して当該音高調整量をレベル表示する表示手段とを具備することを特徴とする。
【０００８】
本発明では、音高調整の対象を全鍵とした場合には所定鍵に設けられる複数の発光手段を表示ドットとして、設定された音高調整量に応じて点灯制御して当該音高調整量をレベル表示し、一方、音高調整の対象を指定鍵とした場合にはその指定鍵に設けられる複数の発光手段を表示ドットとして、設定された音高調整量に応じて点灯制御して当該音高調整量をレベル表示するので、設定された音高調整量が一目瞭然となり、これ故、音高調整量を感覚的に把握でき、しかも簡単に設定することが可能になる。
【０００９】
【発明の実施の形態】
以下、図面を参照して本発明の実施の一形態による電子楽器について説明する。
（１）構成
図１は、実施の一形態による電子楽器の構成を示すブロック図である。この図において、１は押離鍵操作（演奏操作）に応じたキーオン／キーオフ信号やノートナンバ等の演奏情報を発生する鍵盤である。２は鍵盤１の各鍵毎に配置される複数の発光素子Ｌ１〜Ｌｎと、これら各鍵毎に配設される発光素子Ｌ１〜Ｌｎを点灯駆動するドライバ（図示略）とから構成される鍵表示部であり、後述するＣＰＵ５から供給される点灯制御信号に従って、対応する発光素子Ｌ１〜Ｌｎの内、任意のものを点灯制御してトランスポーズ設定値（又はチューニング設定値）をレベル表示する。
【００１０】
鍵表示部２は、例えば図５（イ）に図示するように、半透明樹脂材等で形成された各鍵Ｋの下部に１０個の発光素子Ｌ１〜Ｌ１０を横一列に配列させた表示ドットを形成し、これら発光素子Ｌ１〜Ｌ１０からなる表示ドットの内、設定されるトランスポーズ値（又はチューニング値）に対応した表示ドットを点灯駆動して、その設定値をレベル表示するようになっている。
なお、発光素子Ｌ１〜Ｌ１０としては、図５に図示したように、単色発光するＬＥＤを使用する態様としても良いし、３原色発光する素子を一体形成したタイプのＬＥＤを用い、表示すべきレベルに対応させて発光色を変化させる態様にすることもできる。
【００１１】
３は各種スイッチを備えるパネルスイッチ群であり、操作されたスイッチに応じたスイッチイベントを発生する。このパネルスイッチ群３には、例えばトランスポーズ設定に用いるスイッチとして、対象選択スイッチ３ａやアップダウンスイッチ３ｂが設けられている。
ここで、図２を参照して対象選択スイッチ３ａおよびアップダウンスイッチ３ｂについて説明する。対象選択スイッチ３ａは、図２（イ）に図示するように、鍵盤１の全鍵をトランスポーズの対象として選択する際に操作されるＡＬＬスイッチと、任意の指定鍵のみをトランスポーズの対象として選択する際に操作されるＳＩＮＧＬＥスイッチとから構成される。
一方、アップダウンスイッチ３ｂは、トランスポーズ値（基準音高からの音高変位量）を上昇／下降させるアップスイッチＵＳおよびダウンスイッチＤＳ（図２（ロ参照）から構成される。本実施の形態では、アップスイッチＵＳがオン操作される毎に半音上がり、ダウンスイッチＤＳがオン操作される毎に半音下がる。
【００１２】
後述するように、鍵盤１の全鍵をトランスポーズさせる場合には、ＡＬＬスイッチをオン操作した後、アップスイッチＵＳあるいはダウンスイッチＤＳをオン操作して所望のトランスポーズ値に設定する。
これに対し、鍵盤１中の任意の鍵についてトランスポーズさせるには、上述のＳＩＮＧＬＥスイッチをオン操作した後、鍵盤１中でトランスポーズさせる鍵を押鍵してからアップスイッチＵＳあるいはダウンスイッチＤＳをオン操作して所望のトランスポーズ値に設定する。
なお、トランスポーズ値を基準値「Ｃ」にリセットするには、アップスイッチＵＳおよびダウンスイッチＤＳを同時にオン操作する。
【００１３】
４はＬＣＤパネル等から構成される表示部であり、後述するＣＰＵ５から供給される表示制御信号に応じて楽器各部の設定状態や動作モード等を表示する。この表示部４に表示される楽器各部の設定状態としては、例えば上述した対象選択スイッチ３ａおよびアップダウンスイッチ３ｂの操作により設定されるトランスポーズ値も含まれる。
ＣＰＵ５は、主に鍵盤１から供給される演奏情報に応じた楽音パラメータを発生し、これを音源８（後述する）に送出して楽音発生（発音／消音）を制御すると共に、パネルスイッチ群３から供給されるスイッチイベントに基づき、音源８に与える楽音パラメータを修飾したり、鍵表示部２に供給する点灯制御信号や、表示部４に供給する表示制御信号を発生する。本発明の要旨に係わるＣＰＵ５の処理動作については追って詳述する。
【００１４】
ＲＯＭ６は各種制御プログラムやレッスンデモ曲の曲データ等を記憶する。ＲＡＭ７は、ＣＰＵ５のワークエリアとして各種レジスタ・フラグデータを一時記憶する。８は周知の波形メモリ読み出し方式によって構成され、時分割動作する複数の発音チャンネルを備える音源である。この音源８は、各種音色の波形データを記憶しており、これらの内、ＣＰＵ５が供給する楽音パラメータに応じた波形データを読み出して楽音波形Ｗを発生する。９はＤ／Ａ変換回路であり、上記音源８の出力をアナログ波形信号に変換して次段のサウンドシステム１０に供給する。サウンドシステム１０は、前段から供給されるアナログ波形信号に対して不要ノイズを除去する等のフィルタリングを施した後、これを増幅してスピーカＳＰから発音する。
【００１５】
（２）動作
次に、図３〜図６を参照して上記構成による電子楽器の動作について説明する。以下では、本発明の要旨に係わる動作、すなわちトランスポーズ（又はチューニング）された音高調整量を感覚的に把握でき、しかも簡単に設定し得るようにするトランスポーズ処理および設定表示処理の動作について述べる。
【００１６】
▲１▼トランスポーズ処理の動作
前述した対象選択スイッチ３ａがオン操作されると、ＣＰＵ５は図３に示すトランスポーズ処理ルーチンを実行してステップＳＡ１に処理を進める。ステップＳＡ１では、鍵盤１の全鍵をトランスポーズの対象として選択するＡＬＬスイッチと、任意の指定鍵のみをトランスポーズの対象として選択するＳＩＮＧＬＥスイッチとのどちらがオン操作されたかを判断する。
以下、ＡＬＬスイッチがオン操作された場合の動作と、ＳＩＮＧＬＥスイッチがオン操作された場合の動作とに分けて説明を進める。
【００１７】
（イ）ＡＬＬスイッチがオン操作された場合
この場合、ステップＳＡ２に進み、後述する設定表示処理によってアップスイッチＵＳあるいはダウンスイッチＤＳのオン操作毎に、標準音高に設定されている当初のトランスポーズ値を半音単位で上下に可変設定する。次いで、ステップＳＡ３では、アップスイッチＵＳあるいはダウンスイッチＤＳのオン操作に応じて調整されるトランスポーズ値に対応させて鍵表示部２を点灯制御する。
【００１８】
鍵盤１の全鍵をトランスポーズする場合には、Ａ４音の鍵に配設される発光素子Ｌ１〜Ｌ１０が音高調整量をレベル表示（ドット表示）する。例えば、トランスポーズ値が標準値「Ｃ」に設定されている場合には、図５（イ）に示すように、鍵Ｋに配設される１０個の発光素子の内、発光素子Ｌ１〜Ｌ５を点灯させ、これによりトランスポーズ値は中間の標準値「Ｃ」に設定されている旨をユーザに案内する。
【００１９】
こうしてアップスイッチＵＳあるいはダウンスイッチＤＳのオン操作に応じて調整されるトランスポーズ値に対応させて鍵表示部２を点灯制御した後は、ステップＳＡ４に処理を進め、現在設定されているトランスポーズ値を全ての鍵の音高に付加する。つまり、各鍵のノートナンバをトランスポーズ値に相当する分、それぞれシフトさせる。
次いで、ステップＳＡ５では、所望のトランスポーズ値に設定し終えたか否か、つまり、Ａ４音の鍵が押鍵操作されたかどうかを判断する。Ａ４音の鍵が押鍵操作されず、所望のトランスポーズ値に設定されていない場合には、判断結果が「ＮＯ」となり、上述したステップＳＡ２以降を繰り返す。
【００２０】
一方、Ａ４音の鍵におけるレベル表示からユーザが所望の音高調整量に設定されたと判断すると、その鍵を押鍵する。すると、ステップＳＡ５の判断結果が「ＹＥＳ」となり、トランスポーズ設定を終えてステップＳＡ６以降の発音／消音処理を実行する。
ステップＳＡ６では、鍵盤１のいずれかの鍵が押鍵されたかどうかを判断し、押鍵された場合にはステップＳＡ７に処理を進め、その押鍵に応じた演奏情報として、トランスポーズ値に応じてシフトされたキーナンバを他の楽音パラメータと共に音源８に送出して発音を指示する。
離鍵された場合には、ステップＳＡ６の判断結果が「ＮＯ」となり、ステップＳＡ８，９を介して離鍵された鍵に対応する楽音の消音を音源８に指示する。
【００２１】
（ロ）ＳＩＮＧＬＥスイッチがオン操作された場合
ＳＩＮＧＬＥスイッチがオン操作された場合には、ステップＳＡ１０に処理を進め、トランスポーズ指定鍵として押鍵される鍵のノートナンバをレジスタにセットする。
この後、図４に示すステップＳＡ１１に進み、後述する設定表示処理によってアップスイッチＵＳあるいはダウンスイッチＤＳのオン操作に応じて、この指定鍵に設定されている当初のトランスポーズ値を半音単位で上下に調整する。次いで、ステップＳＡ１２では、アップスイッチＵＳあるいはダウンスイッチＤＳのオン操作に応じて調整されるトランスポーズ値に対応させて上記指定鍵の鍵表示部２を点灯制御する。
【００２２】
例えば、トランスポーズ値を「Ｃ＋２」、つまり標準値Ｃより１度（２半音）上に設定した場合には、図５（ロ）に示すように、表示ドットとなる１０個の発光素子Ｌ１〜Ｌ１０の内、発光素子Ｌ１〜Ｌ６を点灯させ、これによりトランスポーズ値は標準値Ｃより１度上に設定されている旨をユーザに案内する。
また、トランスポーズ値を「Ｃ−２」、つまり標準値Ｃより１度（２半音）下に設定した場合には、図５（ハ）に示すように、発光素子Ｌ１〜Ｌ３を点灯させる。
【００２３】
こうしてアップスイッチＵＳあるいはダウンスイッチＤＳのオン操作に応じて調整されるトランスポーズ値に対応させて指定鍵の発光素子Ｌ１〜Ｌ１０を点灯制御した後は、ステップＳＡ１３に処理を進め、レジスタにストアした指定鍵のノートナンバをトランスポーズ値に相当する分シフトさせる。
次いで、ステップＳＡ１４では、指定鍵に所望のトランスポーズ値を設定し終えたか否か、つまり、指定鍵が押鍵されたかどうかを判断する。指定鍵が押鍵されず、所望のトランスポーズ値に設定されていない場合には、判断結果が「ＮＯ」となり、上述したステップＳＡ１１以降を繰り返す。
【００２４】
そして、所望の音高調整量に設定されたとユーザが判断すると、指定鍵を押鍵する。すると、ステップＳＡ１４の判断結果が「ＹＥＳ」となり、トランスポーズ設定を終えてステップＳＡ１５以降の発音／消音処理を実行する。
【００２５】
指定鍵が押鍵された場合には、ステップＳＡ１５の判断結果が「ＹＥＳ」となり、ステップＳＡ１６に進み、トランスポーズ値に応じてシフトされた指定鍵のキーナンバを他の楽音パラメータと共に音源８に送出して発音を指示する。
一方、指定鍵以外の押鍵であると、ステップＳＡ１７の判断結果が「ＹＥＳ」となり、ステップＳＡ１８に進み、押鍵された鍵のキーナンバを他の楽音パラメータと共に音源８に送出して発音を指示する。
離鍵された場合には、ステップＳＡ１９の判断結果が「ＹＥＳ」となり、ステップＳＡ２０に進み、離鍵された鍵に対応する楽音の消音を音源８に指示する。
【００２６】
▲２▼設定表示処理の動作
次に、図６を参照して設定表示処理の動作について説明する。アップダウンスイッチ３ｂがオン操作されると、ＣＰＵ５は図６に示す設定表示処理ルーチンを実行してステップＳＢ１に処理を進める。
ステップＳＢ１では、アップスイッチＵＳおよびダウンスイッチＤＳが同時にオン操作されたか否かを判断する。ここで、両スイッチＵＳ，ＤＳが同時にオン操作されると、判断結果は「ＹＥＳ」となり、ステップＳＢ２に進み、レジスタＴＲＮＳにトランスポーズの標準値「Ｃ」をストアする。この後、ステップＳＢ６に進み、レジスタＴＲＮＳにストアされた標準値「Ｃ」に基づき、図６（イ）に示すように、鍵Ｋに配設される１０個の発光素子の内、発光素子Ｌ１〜Ｌ５を点灯させてトランスポーズ値が標準値「Ｃ」に設定されている旨をユーザに案内する。
【００２７】
これに対し、アップスイッチＵＳおよびダウンスイッチＤＳのいずれかがオン操作された場合には、上記ステップＳＢ１の判断結果が「ＮＯ」となり、ステップＳＢ３以降に処理を進め、オン操作されたスイッチ種に対応した処理を実行する。
すなわち、アップスイッチＵＳがオン操作された場合には、ステップＳＢ３の判断結果が「ＹＥＳ」となり、ステップＳＢ４に進み、レジスタＴＲＮＳに格納されるトランスポーズ値をインクリメントする。このインクリメントによりトランスポーズ値は半音上がる。次いで、ステップＳＢ５では、インクリメントされたレジスタＴＲＮＳの値が最大設定値ＭＡＸに達したかどうかを判断する。
そして、最大設定値ＭＡＸに達していれば、判断結果が「ＹＥＳ」となり、本ルーチンを終了させるが、最大設定値ＭＡＸ未満であると、判断結果は「ＮＯ」となり、ステップＳＢ６に処理を進め、レジスタＴＲＮＳにストアされたトランスポーズ値に応じて鍵表示部２を点灯制御してレベル表示する。
【００２８】
一方、ダウンスイッチＤＳがオン操作された場合には、ステップＳＢ７の判断結果が「ＹＥＳ」となり、ステップＳＢ８に進み、レジスタＴＲＮＳに格納されるトランスポーズ値をデクリメントする。このデクリメントによりトランスポーズ値は半音下がる。
次いで、ステップＳＢ９では、デクリメントされたレジスタＴＲＮＳの値が最小設定値ＭＩＮに達したかどうかを判断する。そして、最小設定値ＭＩＮに達していれば、判断結果が「ＹＥＳ」となり、本ルーチンを終了させるが、最小設定値ＭＩＮ未満であると、判断結果は「ＮＯ」となり、ステップＳＢ６に処理を進め、レジスタＴＲＮＳにストアされたトランスポーズ値に応じて鍵表示部２を点灯制御してレベル表示する。
【００２９】
このように、本実施の形態によれば、鍵盤１の全鍵をトランスポーズさせるＡＬＬスイッチもしくは鍵盤１中の任意の鍵をトランスポーズさせるＳＩＮＧＬＥスイッチのいずれかをオン操作した後、アップスイッチＵＳあるいはダウンスイッチＤＳをオン操作する毎に、そのオン操作に応じて可変設定されるトランスポーズ値を鍵表示部２がレベル表示する結果、設定されたトランスポーズ値が一目瞭然となり、これ故、音高調整量を感覚的に把握でき、しかも簡単に設定することが可能になる。
【００３０】
なお、上述した実施の形態では、トランスポーズ処理について言及したが、本発明の要旨はこれに限定されず、発音指定された音高の周波数を微調整するチューニング処理にも勿論適用可能である。
例えば、チューニングする鍵を押鍵して指定し、アップスイッチＵＳあるいはダウンスイッチＤＳのオン操作に応じて可変設定されるチューニング値に従って指定鍵の発光素子Ｌ１〜Ｌ１０を点灯制御してレベル表示すれば、設定されたチューニング値が一目瞭然になる。
【００３１】
また、本実施例では、鍵下部に横一列に配列した発光素子Ｌ１〜Ｌ１０で表示ドットを形成し、これによりレベル表示するようにしたが、表示態様はこれに限らず、図７に図示するように、鍵の長手方向に沿って縦一例に発光素子Ｌ１〜Ｌ１０を配列させてレベル表示する態様にすることもできる。
図７に図示する一例では、同図（イ）は発光素子Ｌ１〜Ｌ５が点灯して標準値「Ｃ」を、同図（ロ）は発光素子Ｌ１〜Ｌ７が点灯して標準値「Ｃ＋２」を、同図（ハ）は発光素子Ｌ１〜Ｌ３が点灯して標準値「Ｃ−２」をそれぞれレベル表示した状態を表している。
【００３２】
なお、上述の実施の一形態では、鍵表示部２がトランスポーズ値だけをレベル表示するものとしたが、これに限らず、例えば光ナビゲーションと呼ばれ、弾くべき鍵を案内する演奏案内装置と鍵表示部２を共用することも可能である。
鍵表示部２を演奏案内装置と共用する形態としては、例えば発音すべき音高とその発音タイミングとを含む曲データに基づき、鍵盤１の各鍵Ｋ毎に配置される発光手段Ｌ１〜Ｌｎの内、押鍵すべき鍵に対応する発光手段Ｌ１〜Ｌｎの全てを点灯させたり、あるいは押鍵すべき鍵に対応する発光手段Ｌ１〜Ｌｎを、端から一定タイミングで順番に点灯させ、全てが点灯した時点を押鍵タイミングとして案内し、これにより弾くべき鍵の位置およびその押鍵タイミングを同時に案内することも可能である。
【００３３】
これとは逆に、演奏案内装置を本実施の形態における鍵表示部２として動作させる態様も可能である。光ナビゲーションと呼ばれる演奏案内装置では、鍵盤の各鍵下部に配設される１つの発光手段を点灯制御して弾くべき鍵とその押鍵タイミングとを案内する場合が多い。従って、上述の実施の形態のように、１つの鍵でレベル表示することが叶わない。
そこで、各鍵にそれぞれ配置される発光手段を表示ドットと見做し、全鍵を用いてレベル表示する形態とすれば、演奏案内装置を鍵表示部２として共用可能になる。
【００３４】
また、本実施の形態では、アップスイッチＵＳ／ダウンスイッチＤＳのオン操作に応じてトランスポーズ値を可変設定するだけであるが、これに加えてアップスイッチＵＳ／ダウンスイッチＤＳがオン操作される毎に、設定されたトランスポーズ値に対応する楽音を発音させる態様にすることもできる。このようにすれば、設定されたトランスポーズ値が視覚および聴覚で確認でき、楽器操作な不慣れなビギナーに好適となる。
さらに、本実施の形態では、スイッチ操作でトランスポーズ値を可変設定するようにしたが、これに替えて、例えばスライドボリュームなど連続可変し得る操作子を用いてトランスポーズ値を連続的に可変設定できるようにし、これに連携して設定されるトランスポーズ値をレベル表示すれば、よりいっそう音高調整量を感覚的に把握し易くなる。
【００３５】
請求項1記載の発明によれば、音高調整の対象を全鍵とした場合には所定鍵に設けられる複数の発光手段を表示ドットとして、設定された音高調整量に応じて点灯制御して当該音高調整量をレベル表示し、一方、音高調整の対象を指定鍵とした場合にはその指定鍵に設けられる複数の発光手段を表示ドットとして、設定された音高調整量に応じて点灯制御して当該音高調整量をレベル表示するので、設定された音高調整量が一目瞭然となり、これ故、音高調整量を感覚的に把握でき、しかも簡単に設定することができる。
請求項２記載の発明によれば、演奏案内用に鍵盤の各鍵毎に設けられた複数の発光手段を共用する形で音高調整量をレベル表示するので、製品コスト低減に寄与できる上、音高調整量を感覚的に把握でき、しかも簡単に設定することができる。
請求項３記載の発明によれば、演奏案内用に鍵盤の各鍵毎に設けられた発光手段を１つの表示ドットと見做し、全鍵を用いて音高調整量をレベル表示するので、発光手段を共用できる。
【図面の簡単な説明】
【図１】実施の一形態による電子楽器の構成を示すブロック図である。
【図２】対象選択スイッチ３ａおよびアップダウンスイッチ３ｂの構成を示す図である。
【図３】トランスポーズ処理ルーチンの動作を示すフローチャートである。
【図４】トランスポーズ処理ルーチンの動作を示すフローチャートである。
【図５】鍵表示部２におけるレベル表示の一例を示す図である。
【図６】設定表示処理ルーチンの動作を示すフローチャートである。
【図７】他のレベル表示形態を説明するための図である。
【符号の説明】
１  鍵盤
２  鍵表示部
３  パネルスイッチ群
４  表示部
５  ＣＰＵ
６  ＲＯＭ
７  ＲＡＭ
８  音源
９  Ｄ／Ａ変換回路
１０  サウンドシステム
【図１】
0004062399.tif 000002
【図２】
0004062399.tif 000003
【図３】
0004062399.tif 000004
【図４】
0004062399.tif 000005
【図５】
0004062399.tif 000006
【図６】
0004062399.tif 000007
【図７】
0004062399.tif 000008